【手続補正書】
【提出日】平成28年9月28日(2016.9.28)
【手続補正１】
【補正対象書類名】特許請求の範囲
【補正対象項目名】請求項１
【補正方法】変更
【補正の内容】
【請求項１】
結着樹脂、顔料、離型剤および顔料分散剤を含有するトナーであって、
前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １２２、Ｃ．Ｉ．Ｐｉｇｍｅｎｔ  Ｒｅｄ  １５０およびＣ．Ｉ．Ｐｉｇｍｅｎｔ  Ｒｅｄ  ２６９からなる群より選ばれる１種以上の顔料であり、
前記顔料分散剤が、顔料に吸着する吸着成分と、該吸着成分と結合しているポリマー成分とを有する顔料分散剤であり、
前記吸着成分が、下記式（１）で示される構造を有することを特徴とするトナー。
【化１】
2015069079.tif 000001
［前記式（１）中、Ａｒ１、Ａｒ２、およびＡｒ３のいずれかは、単結合または連結基を介して、ポリマー成分と結合する部位を示し、
ポリマー成分と結合しないＡｒ１、Ａｒ２、およびＡｒ３は、アリール基を示し、
ポリマー成分と結合するＡｒ１、Ａｒ２、およびＡｒ３は、アリール基から水素を１つ脱離して形成される基を示す。
Ｗは、−ＣＨ２−または＞Ｃ＝ＣＨ−Ａｒを示し、Ａｒは置換基を有してもよいベンゼン環を示す。
前記連結基は、アミド基、エステル基、ウレタン基、ウレア基、アルキレン基、フェニレン基、−Ｏ−、−ＮＲ１−および−ＮＨＣＨ（ＣＨ２ＯＨ）−からなる群より選ばれる２価の連結基であり、Ｒ１は、水素原子、アルキル基、フェニル基またはアラルキル基を示す。］
【手続補正２】
【補正対象書類名】特許請求の範囲
【補正対象項目名】請求項７
【補正方法】変更
【補正の内容】
【請求項７】
結着樹脂、顔料、離型剤および顔料分散剤を含有するトナーの製造方法であって、
前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １２２、Ｃ．Ｉ．Ｐｉｇｍｅｎｔ  Ｒｅｄ  １５０およびＣ．Ｉ．Ｐｉｇｍｅｎｔ  Ｒｅｄ  ２からなる群より選ばれる１種以上の顔料であり、
前記顔料分散剤が、顔料に吸着する吸着成分と、該吸着成分と結合しているポリマー成分とを有する顔料分散剤であり、
前記吸着成分が下記式（１）で示される構造を有し、
下記ｉ）またはｉｉ）に記載の工程を含むことを特徴とするトナーの製造方法。
ｉ）重合性単量体、前記顔料および前記顔料分散剤を含有する重合性単量体組成物を、水系媒体中にて造粒する造粒工程、および造粒された粒子中に含有される重合性単量体を重合することによってトナー粒子を製造する重合工程、
または
ｉｉ）前記結着樹脂、前記顔料および前記顔料分散剤を含有するトナー組成物を、有機溶媒中に溶解または分散させた混合溶液を、水系媒体中にて造粒する造粒工程、および造粒された粒子中に含有される有機溶媒を除去することによってトナー粒子を製造する溶媒除去工程。
【化３】
2015069079.tif 000002
［前記式（１）中、Ａｒ１、Ａｒ２、およびＡｒ３のいずれかは、単結合または連結基を介して、ポリマー成分と結合する部位を示し、
ポリマー成分と結合しないＡｒ１、Ａｒ２、およびＡｒ３は、アリール基を示し、
ポリマー成分と結合するＡｒ１、Ａｒ２、およびＡｒ３は、アリール基から水素を１つ脱離して形成される基を示す。
Ｗは、−ＣＨ２−または＞Ｃ＝ＣＨ−Ａｒを示し、Ａｒは置換基を有してもよいベンゼン環を示す。
前記連結基は、アミド基、エステル基、ウレタン基、ウレア基、アルキレン基、フェニレン基、−Ｏ−、−ＮＲ１−および−ＮＨＣＨ（ＣＨ２ＯＨ）−からなる群より選ばれる２価の連結基であり、Ｒ１は、水素原子、アルキル基、フェニル基またはアラルキル基を示す。］
【手続補正３】
【補正対象書類名】明細書
【補正対象項目名】０００６
【補正方法】変更
【補正の内容】
【０００６】
本発明は、結着樹脂、顔料、離型剤および顔料分散剤を含有するトナーであって、
前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １２２、Ｃ．Ｉ．Ｐｉｇｍｅｎｔ  Ｒｅｄ  １５０およびＣ．Ｉ．Ｐｉｇｍｅｎｔ  Ｒｅｄ  ２６９の群から一種以上選ばれる顔料であり、前記顔料分散剤が、顔料に吸着する吸着成分と、該吸着成分と結合しているポリマー成分とを有する顔料分散剤であり、前記吸着成分が下記式（１）で示される構造を有することを特徴とするトナー、
【手続補正４】
【補正対象書類名】明細書
【補正対象項目名】０００９
【補正方法】変更
【補正の内容】
【０００９】
また、本発明は、  結着樹脂、顔料、離型剤および顔料分散剤を含有するトナーの製造方法であって、
前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １２２、Ｃ．Ｉ．Ｐｉｇｍｅｎｔ  Ｒｅｄ  １５０およびＣ．Ｉ．Ｐｉｇｍｅｎｔ  Ｒｅｄ  ２からなる群より選ばれる１種以上の顔料であり、
前記顔料分散剤が、顔料に吸着する吸着成分と、該吸着成分と結合しているポリマー成分とを有する顔料分散剤であり、
前記吸着成分が前記式（１）で示される構造を有し、
下記ｉ）またはｉｉ）に記載の工程を含むことを特徴とするトナーの製造方法。
ｉ）重合性単量体、前記顔料および前記顔料分散剤を含有する重合性単量体組成物を、水系媒体中にて造粒する造粒工程、および造粒された粒子中に含有される重合性単量体を重合することによってトナー粒子を製造する重合工程、
または
ｉｉ）前記結着樹脂、前記顔料および前記顔料分散剤を含有するトナー組成物を、有機溶媒中に溶解または分散させた混合溶液を、水系媒体中にて造粒する造粒工程、および造粒された粒子中に含有される有機溶媒を除去することによってトナー粒子を製造する溶媒除去工程。
【手続補正５】
【補正対象書類名】明細書
【補正対象項目名】００１１
【補正方法】変更
【補正の内容】
【００１１】
本発明者らは、鋭意検討を行った結果、以下のトナーによって上記の課題を解決できることを見出した。
すなわち、結着樹脂、顔料、離型剤および顔料分散剤を含有するトナーであって、
前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １２２、Ｃ．Ｉ．Ｐｉｇｍｅｎｔ  Ｒｅｄ  １５０およびＣ．Ｉ．Ｐｉｇｍｅｎｔ  Ｒｅｄ  ２６９からなる群より選ばれる１種以上の顔料であり、前記顔料分散剤が、顔料に吸着する吸着成分と、該吸着成分と結合しているポリマー成分とを有する顔料分散剤であり、前記吸着成分が下記式（１）で示される構造を有することを特徴とするトナーである。
【手続補正６】
【補正対象書類名】明細書
【補正対象項目名】００２６
【補正方法】変更
【補正の内容】
【００２６】
＜製造方法＞
次に本発明のトナーの製造方法について説明する。
すなわち、結着樹脂、顔料、離型剤および顔料分散剤を含有するトナーの製造方法であって
前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １２２、Ｃ．Ｉ．Ｐｉｇｍｅｎｔ  Ｒｅｄ  １５０およびＣ．Ｉ．Ｐｉｇｍｅｎｔ  Ｒｅｄ  ２６９からなる群より選ばれる１種以上の顔料であり、
前記顔料分散剤が、顔料に吸着する吸着成分と、該吸着成分と結合しているポリマー成分とを有する顔料分散剤であり、
前記吸着成分が、前記式（１）で示される構造を有し、
下記ｉ）またはｉｉ）に記載の工程を含むことを特徴とするトナーの製造方法である。
ｉ）重合性単量体、前記顔料および前記顔料分散剤を含有する重合性単量体組成物を、水系媒体中にて造粒する造粒工程、および造粒された粒子中に含有される重合性単量体を重合することによってトナー粒子を製造する重合工程、
または
ｉｉ）前記結着樹脂、前記顔料および前記顔料分散剤を含有するトナー組成物を、有機溶媒中に溶解または分散させた混合溶液を、水系媒体中にて造粒する造粒工程、および造粒された粒子中に含有される有機溶媒を除去することによってトナー粒子を製造する溶媒除去工程。